(57)【要約】【課題】取付箇所であるパネルから容易に取り外すことのできるワイヤハーネス用クリップを提供する。【解決手段】ワイヤハーネス用クリップ１０は、パネルに係止する係止部１１と、ワイヤハーネスを保持する保持部２１と、係止部１１と保持部２１とを連結する連結部３１と、パネルを係止部１１と挟み込む位置に配置される支持部材４１とを備える。支持部材４１及び連結部３１は、互いに嵌合される嵌合構造を有することで、支持部材４１は、連結部３１に着脱可能に設けられる。【選択図】図１
2018098911.tif 000002
【特許請求の範囲】
【請求項１】
ワイヤハーネスをパネルに取り付ける用途に用いられるワイヤハーネス用クリップであって、
前記パネルに係止する係止部と、
前記ワイヤハーネスを保持する保持部と、
前記係止部と前記保持部とを連結する連結部と、
前記パネルを前記係止部と挟み込む位置に配置される支持部材と、を備え、
前記支持部材及び前記連結部は、互いに嵌合される嵌合構造を有することで、前記支持部材は、前記連結部に着脱可能に設けられることを特徴とするワイヤハーネス用クリップ。
【請求項２】
請求項１に記載のワイヤハーネス用クリップにおいて、
前記支持部材は、凹部を有するとともに、前記連結部は、前記凹部の内縁部分が挿入される一対の溝を有し、前記嵌合構造は、前記凹部と前記一対の溝により構成されていることを特徴とするワイヤハーネス用クリップ。
【請求項３】
請求項１又は請求項２に記載のワイヤハーネス用クリップにおいて、
前記保持部は、保持部本体と、ゴム弾性を有することで伸縮可能なバンド部材とを備え、前記バンド部材の両端部は、それぞれ係止孔を有し、前記保持部は、前記係止孔が前記保持部本体に係止される構成を有することを特徴とするワイヤハーネス用クリップ。
【発明の詳細な説明】
【技術分野】
【０００１】
本発明は、ワイヤハーネスを車両に取り付ける用途に用いられるワイヤハーネス用クリップに関する。
【背景技術】
【０００２】
ワイヤハーネスを車両に取り付ける際には、ワイヤハーネス用クリップが用いられている。例えば、特許文献１に開示されるワイヤハーネス用クリップは、車両のパネルの有する取付孔に挿通されてパネルに係止する係止部と、皿状の支持部とを備え、係止部と支持部との間で車両のパネルを挟み込むように構成されている。
【先行技術文献】
【特許文献】
【０００３】
【特許文献１】特開２０１５−１５６７３７号公報
【発明の概要】
【発明が解決しようとする課題】
【０００４】
上記のようにパネルに取り付けられたワイヤハーネス用クリップを支持部側（ワイヤハーネス側）から取り外す場合、支持部が障壁となることでパネルに対する係止部の係止を支持部側から解除することが困難である。このため、例えば車両の整備の際に、ワイヤハーネス用クリップを車両のパネルから取り外すことが必要となった場合、ワイヤハーネス用クリップの一部を切断して取り外すことになる。このようにワイヤハーネス用クリップを取り外す作業は煩雑となっていた。
【０００５】
本発明は、上記課題を解決するためになされたものであって、その目的は、取付箇所であるパネルから容易に取り外すことのできるワイヤハーネス用クリップを提供することにある。
【課題を解決するための手段】
【０００６】
上記課題を解決するワイヤハーネス用クリップは、ワイヤハーネスをパネルに取り付ける用途に用いられるワイヤハーネス用クリップであって、前記パネルに係止する係止部と、前記ワイヤハーネスを保持する保持部と、前記係止部と前記保持部とを連結する連結部と、前記パネルを前記係止部と挟み込む位置に配置される支持部材と、を備え、前記支持部材及び前記連結部は、互いに嵌合される嵌合構造を有することで、前記支持部材は、前記連結部に着脱可能に設けられる。
【０００７】
この構成によれば、パネルに取り付けられた状態のワイヤハーネス用クリップにおいて、連結部から支持部材を取り外すことで、パネルに対する係止部の係止をワイヤハーネス側から解除することができる。
【０００８】
上記ワイヤハーネス用クリップにおいて、前記支持部材は、凹部を有するとともに、前記連結部は、前記凹部の内縁部分が挿入される一対の溝を有し、前記嵌合構造は、前記凹部と前記一対の溝により構成されていることが好ましい。
【０００９】
この構成によれば、比較的簡素な構成で嵌合構造を構成することができる。
上記ワイヤハーネス用クリップにおいて、前記保持部は、保持部本体と、ゴム弾性を有することで伸縮可能なバンド部材とを備え、前記バンド部材の両端部は、それぞれ係止孔を有し、前記保持部は、前記係止孔が前記保持部本体に係止される構成を有することが好ましい。
【００１０】
この構成によれば、バンド部材のゴム弾性を利用して、ワイヤハーネスに巻き付けたバンド部材を伸長した状態で保持部本体に係止させることで、バンド部材の余長部分は発生しない。従って、余長部分を切断して除去する作業を省略することができる。
【発明の効果】
【００１１】
本発明によれば、取付箇所であるパネルから容易に取り外すことができる。
【図面の簡単な説明】
【００１２】
【図１】第１実施形態のワイヤハーネス用クリップを示す斜視図である。
【図２】ワイヤハーネス用クリップをパネルに取り付けた状態を示す部分断面図である。
【図３】第２実施形態のワイヤハーネス用クリップを示す斜視図である。
【図４】第２実施形態のワイヤハーネス用クリップの使用方法を説明する正面図である。
【図５】（ａ）は、ワイヤハーネス用クリップの使用方法を説明する正面図であり、（ｂ）は、ワイヤハーネス用クリップをパネルに取り付けた状態を示す部分断面図である。
【図６】変更例のワイヤハーネス用クリップをパネルに取り付けた状態を示す部分断面図である。
【発明を実施するための形態】
【００１３】
（第１実施形態）
ワイヤハーネス用クリップの第１実施形態について説明する。ワイヤハーネス用クリップは、ワイヤハーネスを車両のパネルに取り付ける用途に用いられる。
【００１４】
図１及び図２に示すように、ワイヤハーネス用クリップ１０は、パネルＰに係止する係止部１１と、ワイヤハーネスＷを保持する保持部２１と、係止部１１と保持部２１とを連結する連結部３１とを備えている。
【００１５】
係止部１１は、基部１２と、基部１２から基部１２の両側に突出する係止片１３と、係止片１３の先端の内側部分から突出する係止突起１４とを有している。係止片１３は、弾性変形可能であり、パネルＰの取付孔Ｈに挿通される。係止突起１４は、取付孔Ｈの内面に係止される。
【００１６】
保持部２１は、保持部本体２２と、保持部本体２２に設けられるバンド２３とを備えている。保持部本体２２には、バンド２３の基端が接続されるとともに、挿入されたバンド２３を抜け止めする抜け止め孔を有している。連結部３１は、パネルＰにワイヤハーネス用クリップ１０を取り付ける方向Ｄに沿って延在する軸状を有している。
【００１７】
ワイヤハーネス用クリップ１０は、パネルＰを係止部１１と挟み込む位置に配置される支持部材４１をさらに備えている。支持部材４１は、外周部分がパネルＰに当接する皿ばねの形状を有している。
【００１８】
支持部材４１は及び上述した連結部３１は、互いに嵌合される嵌合構造を有し、支持部材４１は、連結部３１に着脱可能に設けられる。本実施形態の支持部材４１は、凹部４２を有するとともに、連結部３１は、凹部４２の内縁部分が挿入される一対の溝３２，３２を有している。本実施形態の嵌合構造は、支持部材４１の凹部４２と、連結部３１の一対の溝３２，３２により構成されている。
【００１９】
支持部材４１の凹部４２は、支持部材４１の外縁から支持部材４１の中央部分まで延在する。支持部材４１における凹部４２の内縁部分は、凹部４２の内奥側において肉厚部４３を有している。
【００２０】
連結部３１における一対の溝３２，３２は、パネルＰにワイヤハーネス用クリップ１０を取り付ける方向Ｄに対して直交する方向に沿って延在している。換言すると、一対の溝３２，３２は、パネルＰの面に沿って延在するように設けられている。すなわち、支持部材４１をパネルＰの面に沿ってスライドさせることで、支持部材４１における凹部４２の内縁は溝３２，３２に挿脱される。
【００２１】
ワイヤハーネス用クリップ１０は、ポリプロピレン、ポリアミド等の樹脂材料から構成されている。
次に、ワイヤハーネス用クリップ１０の使用方法を説明する。
【００２２】
ワイヤハーネス用クリップ１０は、連結部３１に支持部材４１を取り付けることで組み立てられる。ワイヤハーネス用クリップ１０をワイヤハーネスＷに装着するには、バンド２３をワイヤハーネスＷに巻き付けてバンド２３を保持部本体２２に抜け止めさせる。次に、ワイヤハーネス用クリップ１０の係止部１１をパネルＰに係止することで、ワイヤハーネス用クリップ１０をパネルＰに取り付ける。なお、支持部材４１は、ワイヤハーネス用クリップ１０の係止部１１をパネルＰに係止した後に、連結部３１に取り付けてもよい。
【００２３】
ここで、例えば車両の整備の際に、ワイヤハーネスＷ（ワイヤハーネス用クリップ１０）を車両のパネルＰから取り外すことが必要となった場合、まず支持部材４１と連結部３１との嵌合構造を利用して支持部材４１を連結部３１から取り外す。次に、例えば、係止部１１を押し込んで傾斜させた状態にして、係止部１１をパネルＰの取付孔Ｈから引き抜くことで、ワイヤハーネスＷ（ワイヤハーネス用クリップ１０）をパネルＰから取り外すことができる。
【００２４】
次に、本実施形態の作用効果について説明する。
（１）ワイヤハーネス用クリップ１０の支持部材４１及び連結部３１が互いに嵌合される嵌合構造を有することで、支持部材４１は、連結部３１に着脱可能に設けられている。この構成によれば、パネルＰに取り付けられた状態のワイヤハーネス用クリップ１０において、連結部３１から支持部材４１を取り外すことで、パネルＰに対する係止部１１の係止をワイヤハーネス側から解除することができる。これにより、例えば、ワイヤハーネス用クリップ１０を切断する工程を省くことが可能となる。従って、取付箇所であるパネルＰからワイヤハーネス用クリップ１０を容易に取り外すことができる。
【００２５】
また、ワイヤハーネス用クリップ１０を切断せずに、パネルＰからワイヤハーネス用クリップ１０を取り外すことが可能となるため、ワイヤハーネス用クリップ１０を再利用することも可能となる。
【００２６】
（２）本実施形態の支持部材４１は、凹部４２を有するとともに、連結部３１は、凹部４２の内縁部分が挿入される一対の溝３２，３２を有している。支持部材４１と連結部３１との嵌合構造は、凹部４２と一対の溝３２，３２により構成されている。この場合、比較的簡素な構成で嵌合構造を構成することができる。従って、より汎用性の高いワイヤハーネス用クリップ１０を提供することができる。
【００２７】
（３）本実施形態の支持部材４１における凹部４２の内縁部分は、凹部４２の内奥側において肉厚部４３を有している。この場合、凹部４２の開口端側では、一対の溝３２，３２に容易に挿入することができるとともに、凹部４２の内奥側では、肉厚部４３と一対の溝３２，３２とを嵌合させることができる。このため、支持部材４１を連結部３１に取り付ける操作が容易となる。従って、支持部材４１を備えたワイヤハーネス用クリップ１０のパネルＰへの取り付け操作が容易となる。
【００２８】
（第２実施形態）
ワイヤハーネス用クリップ１０の第２実施形態について第１実施形態と異なる点を中心に説明する。
【００２９】
図３、図４、図５（ａ）、及び図５（ｂ）に示すように、第２実施形態のワイヤハーネス用クリップ１０は、主に保持部２１の構成が第１実施形態と異なる。
本実施形態の保持部２１は、ゴム弾性を有することで伸縮可能なバンド部材２４を備えている。バンド部材２４は、ゴムやエラストマーから構成され、長手方向を有している。バンド部材２４の長手方向における両端部のうち、第１端部は第１係止孔２４ａを有し、第２端部は第２係止孔２４ｂを有している。
【００３０】
保持部本体２２は、連結部３１の溝３２，３２から係止部１１の反対側に延出するバンド取付部２２ａと、バンド取付部２２ａの先端部に設けられ、バンド取付部２２ａよりも拡径するように構成された抜け止め部２２ｂとから構成されている。詳述すると、本実施形態の保持部本体２２は、第１実施形態の連結部３１の一部をバンド取付部２２ａとして利用する。抜け止め部２２ｂは、保持部本体２２において、ワイヤハーネス用クリップ１０を取り付ける方向Ｄに対して反対側となる端部に設けられている。
【００３１】
ここで、バンド部材２４の弾性変形により拡径させた第１係止孔２４ａには、保持部本体２２の抜け止め部２２ｂ及びバンド取付部２２ａを順に挿入することが可能である。これにより、バンド部材２４の第１端部は、バンド取付部２２ａに取り付けられる。一方、バンド部材２４の弾性変形により拡径させた第２係止孔２４ｂには、係止部１１、連結部３１、及びバンド取付部２２ａを順に挿入することが可能である。これにより、バンド部材２４の第２端部についてもバンド取付部２２ａに取り付けられる。なお、バンド部材２４の第１係止孔２４ａ及び第２係止孔２４ｂの形状は、バンド取付部２２ａに取り付ける際に挿入される部分の外形に応じた異なる形状を有している。
【００３２】
バンド取付部２２ａに係止されたバンド部材２４の両端部は、重ねた状態となる。こうしたバンド部材２４の両端部は、支持部材４１が連結部３１に装着された状態では、支持部と抜け止め部２２ｂで挟み込まれた状態となる。
【００３３】
次に、ワイヤハーネス用クリップ１０の使用方法を作用とともに説明する。
ワイヤハーネス用クリップ１０をワイヤハーネスＷに装着するには、バンド部材２４の第１端部を保持部本体２２に係止させる。次に、バンド部材２４を伸長させながらワイヤハーネスＷに巻き付けて、バンド部材２４の第２端部を保持部本体２２に係止させる。これにより、伸長した状態のバンド部材２４によってワイヤハーネスＷを保持部２１に保持させることができる。次に、第１実施形態と同様にして、ワイヤハーネス用クリップ１０をパネルＰに取り付ける。
【００３４】
ここで、第１実施形態のバンド２３では、ワイヤハーネスＷを保持させた後の余長部分は、例えば、ワイヤハーネス用クリップ１０をパネルＰに取り付ける作業を妨げるおそれがある。このため、第１実施形態のバンド２３の余長部分は、切断して除去するのが通常である。これに対して、本実施形態のバンド部材２４は、ゴム弾性を有することで伸縮可能に構成されているため、ワイヤハーネスＷに巻き付けたバンド部材２４を伸長した状態で保持部本体２２に係止させることで、バンド部材２４の余長部分は発生しない。また、本実施形態のバンド部材２４では、外径の異なるワイヤハーネスＷであっても、ワイヤハーネスＷの外周に追従させて伸長することが可能である。また、本実施形態のバンド部材２４では、ワイヤハーネスＷの外径に応じて、バンド部材２４の長さ、厚さ、材質を適宜変更することで、バンド部材２４の伸縮性（弾性力）を適宜変更することもできる。
【００３５】
次に、本実施形態の作用効果について説明する。
（４）本実施形態の保持部２１は、保持部本体２２と、ゴム弾性を有することで伸縮可能なバンド部材２４とを備えている。バンド部材２４の両端部は、係止孔（第１係止孔２４ａ及び第２係止孔２４ｂ）を有し、保持部２１は、係止孔が保持部本体２２に係止される構成を有している。
【００３６】
この場合、上述したように、バンド部材２４のゴム弾性を利用して、ワイヤハーネスＷに巻き付けたバンド部材２４を伸長した状態で保持部本体２２に係止させることで、バンド部材２４の余長部分は発生しない。従って、余長部分を切断して除去する作業を省略することができる。
【００３７】
また、異なる外径を有するワイヤハーネスＷであっても、バンド部材２４のゴム弾性を利用して、保持部本体２２に保持させることができる。また、バンド部材２４は、ゴム弾性を有する材料（例えば、ゴムやエラストマー）から構成されるため、ポリプロピレンやポリアミド等の樹脂材料よりも摩擦係数が大きい。従って、ワイヤハーネスＷの外面との滑りが抑えられることで、保持部２１からワイヤハーネスＷがずれることを抑えることもできる。
【００３８】
上記実施形態を次のように変更して構成してもよい。
・ワイヤハーネス用クリップ１０における支持部材４１と連結部３１との嵌合構造は、凹部４２と一対の溝３２，３２との嵌合構造に限定されず、例えば、複数に分割して構成した支持部材４１に設けた凸部と、連結部に設けた凹部とが嵌合する構造であってもよい。
【００３９】
・支持部材４１における凹部４２の内縁部分は、肉厚部４３を有しているが、肉厚部４３を省略してもよい。
・図６に示すように、ワイヤハーネス用クリップ１０の保持部２１は、ワイヤハーネスＷを沿わせて配置する保持部本体２５と、ワイヤハーネスＷを保持部本体２５に留める粘着テープＴとを備える構成に変更することもできる。すなわち、ワイヤハーネス用クリップ１０における保持部２１は、バンド２３又はバンド部材２４を用いたバンドタイプに限定されず、粘着テープＴで留めるテープタイプであってもよい。
【００４０】
・結束部分が設けられたバンドを用いることで、保持部本体２２以外の部分でバンドが結束されるように構成してもよい。この場合、保持部本体２２，２５をバンドが挿通される挿通孔を有する保持部本体に変更することができる。
【００４１】
上記実施形態及び変更例から把握できる技術的思想を以下に記載する。
（イ）前記支持部材は、凹部を有するとともに、前記連結部は、前記凹部の内縁部分が挿入される一対の溝を有し、前記嵌合構造は、前記凹部と前記一対の溝により構成され、前記凹部の内縁部分は、凹部の内奥側において肉厚部を有するワイヤハーネス用クリップ。
【００４２】
（ロ）前記保持部本体は、前記バンド部材の両端部を抜け止めする抜け止め部を有し、重ねた状態とされた前記バンド部材の両端部を前記抜け止め部と前記支持部材とにより挟み込む構造を有するワイヤハーネス用クリップ。この場合、ワイヤハーネス用クリップをパネルに取り付ける際に、支持部材を利用してバンドの両端部を押さえ込むことができるため、ワイヤハーネス用クリップをパネルに取り付ける取付作業を円滑に行うことが可能となる。
【符号の説明】
【００４３】
１０…ワイヤハーネス用クリップ、１１…係止部、２１…保持部、２２，２５…保持部本体、２４…バンド部材、２４ａ…第１係止孔、２４ｂ…第２係止孔、３１…連結部、３２…溝、４１…支持部材、４２…凹部、Ｐ…パネル、Ｗ…ワイヤハーネス。
【図１】
2018098911.tif 000003
【図２】
2018098911.tif 000004
【図３】
2018098911.tif 000005
【図４】
2018098911.tif 000006
【図５】
2018098911.tif 000007
【図６】
2018098911.tif 000008